(57)【要約】【課題】オンスクリーン表示情報の表示されている表示画面またはオンスクリーン表示情報の表示位置上の映像信号の動きを検出し、動きのある場合にはオンスクリーン表示情報または表示画面の状態を変更することによりユーザは動きのある画像を見逃すことなく視聴することがでる情報表示方法及び情報表示装置を提供する。【解決手段】状態変化量検出部１０３で表示画面に表示される映像の状態変化量を取得し、状態変化量判定部１０４で状態変化量が所定値より大きいと判断された場合にＯＳＤ表示状態変更部１０７でオンスクリーン表示情報または表示画面を制御することにより、動きのある画像とオンスクリーン表示情報の重複を防止することができる。【選択図】図１
2005242204.tif 000002
【特許請求の範囲】
【請求項１】
映像を少なくとも１つ以上含む入力映像情報を表示画面に表示し、表示画面に所定のオンスクリーン表示情報（以下、ＯＳＤと称す）を表示する情報表示方法であって、
前記ＯＳＤの表示位置を取得する工程と、
前記表示画面に表示される入力映像情報の状態変化量を検出する工程と、
前記状態変化量が所定値以上の場合に前記ＯＳＤの表示制御を行う工程と、を含む、
ことを特徴とする情報表示方法。
【請求項２】
表示画面を分割し、映像を少なくとも２つ以上含む入力映像情報を分割画面に表示し、
前記分割画面に所定のＯＳＤを表示する情報表示方法であって、
前記ＯＳＤの表示位置を取得する工程と、
前記分割画面に表示される入力映像情報の状態変化量を検出する工程と、
前記状態変化量が所定値以下の分割画面を検出する工程と、
前記状態変化量が所定値以下の分割画面に前記ＯＳＤを移動する工程と、を含む、
ことを特徴とする情報表示方法。
【請求項３】
請求項１または２に記載の情報表示方法において、
前記表示画面における状態変化位置を検出する工程を更に含む、
ことを特徴とする情報表示方法。
【請求項４】
請求項１ないし３のいずれかに記載の情報表示方法において、
前記状態変化量はデジタル化された前記入力映像情報の一定時間ごとの輝度値の総和変化量である、
ことを特徴とする情報表示方法。
【請求項５】
請求項１ないし３のいずれかに記載の情報表示方法において、
前記状態変化量は、デジタル化された前記入力映像情報に含まれる音声情報の一定時間ごとの音声レベルの変化量である、
ことを特徴とする情報表示方法。
【請求項６】
請求項１または２に記載の情報表示方法において、
前記状態変化量は、対象の動き検出を行う手段により検出する、
ことを特徴とする情報表示方法。
【請求項７】
請求項４ないし６のいずれかに記載の情報表示方法において、
前記ＯＳＤの表示位置が前記分割画面の各入力映像情報表示領域における入力映像情報の状態変化量が所定値以上の分割画面と重複した場合に、
前記ＯＳＤの表示位置を前記分割画面の各入力映像情報表示領域における入力映像情報の状態変化量が所定値以下である分割画面に移動する、
ことを特徴とする情報表示方法。
【請求項８】
請求項４ないし６のいずれかに記載の情報表示方法において、
前記ＯＳＤの表示位置が前記分割画面の各入力映像情報表示領域における入力映像情報の状態変化量が所定値以上の分割画面と重複した場合に、
前記ＯＳＤを非表示にする、
ことを特徴とする情報表示方法。
【請求項９】
請求項１ないし６のいずれかに記載の情報表示方法において、
前記ＯＳＤの表示位置が前記分割画面の各入力映像情報表示領域における入力映像情報の状態変化量が所定値以上の分割画面と重複した場合に、
前記ＯＳＤを透過させ入力映像情報をＯＳＤよりも前面に表示させる、
ことを特徴とする情報表示方法。
【請求項１０】
請求項１ないし６のいずれかに記載の情報表示方法において、
前記ＯＳＤの表示位置が前記分割画面の各入力映像情報表示領域における入力映像情報の状態変化量が所定値以上の分割画面と重複した場合に、
前記ＯＳＤを縮小して表示する、
ことを特徴とする情報表示方法。
【請求項１１】
請求項１ないし６のいずれかに記載の情報表示方法において、
前記ＯＳＤの表示位置が前記分割画面の各入力映像情報表示領域における入力映像情報の状態変化量が所定値以上の分割画面と重複した場合に、
画面上の各入力映像情報表示領域と別の領域にＯＳＤを表示させる、
ことを特徴とする情報表示方法。
【請求項１２】
請求項１ないし６のいずれかに記載の情報表示方法において、
前記ＯＳＤの表示位置が前記分割画面の各入力映像情報表示領域における入力映像情報の状態変化量が所定値以上の分割画面と重複した場合に、
前記表示状態変化位置と重複する入力映像情報表示領域を任意のサイズに拡大する、
ことを特徴とする情報表示方法。
【請求項１３】
請求項１ないし６のいずれかに記載の情報表示方法において、
前記入力映像情報または分割画面の各入力映像情報表示領域に優先度を付加する工程を更に含む、
ことを特徴とする情報表示方法。
【請求項１４】
請求項１３に記載の情報表示方法において、
前記ＯＳＤの表示位置が前記分割画面の各入力映像情報表示領域における入力映像情報の状態変化量が所定値以上の分割画面と重複した場合に、
前記優先度の最も低い入力映像情報を表示している領域または優先度の最も低い入力映像情報表示領域に前記ＯＳＤの表示位置を移動する、
ことを特徴とする情報表示方法。
【請求項１５】
請求項１ないし６のいずれかに記載の情報表示方法において、
前記ＯＳＤの表示位置が前記分割画面の各入力映像情報表示領域における入力映像情報の状態変化量が所定値以上の分割画面と重複した場合に、
前記ＯＳＤの一部または全体を各入力映像情報表示領域における入力映像情報の表示状態変化量が所定値以下である入力映像情報表示領域に移動する、
ことを特徴とする情報表示方法。
【請求項１６】
請求項１ないし６のいずれかに記載の情報表示方法において、
前記ＯＳＤの表示位置が前記表示画面の状態変化位置と重複した場合に、
前記ＯＳＤの表示位置を前記表示画面の状態変化量が所定値以下の領域に移動する、
ことを特徴とする情報表示方法。
【請求項１７】
請求項２ないし６のいずれかに記載の情報表示方法において、
前記ＯＳＤの表示位置が前記表示画面の状態変化位置と重複した場合に、
前記ＯＳＤを非表示にする、
ことを特徴とする情報表示方法。
【請求項１８】
請求項１ないし６のいずれかに記載の情報表示方法において、
前記ＯＳＤの表示位置が前記表示画面の状態変化位置と重複した場合に、
前記ＯＳＤを透過させ入力映像情報をＯＳＤよりも前面に表示させる、
ことを特徴とする情報表示方法。
【請求項１９】
請求項１ないし６のいずれかに記載の情報表示方法において、
前記ＯＳＤの表示位置が前記表示画面の状態変化位置と重複した場合に、
前記ＯＳＤを縮小して表示する、
ことを特徴とする情報表示方法。
【請求項２０】
請求項１ないし６のいずれかに記載の情報表示方法において、
前記ＯＳＤの表示位置が前記表示画面の状態変化位置と重複した場合に、
各入力映像情報表示領域における入力映像情報を所定の方向に移動させて表示する、
ことを特徴とする情報表示方法。
【請求項２１】
請求項１ないし６のいずれかに記載の情報表示方法において、
前記ＯＳＤの表示位置が前記表示画面の状態変化位置と重複した場合に、
画面上の各入力映像情報表示領域と別の領域にＯＳＤを表示させる、
ことを特徴とする情報表示方法。
【請求項２２】
請求項１ないし６のいずれかに記載の情報表示方法において、
前記ＯＳＤの表示位置が前記表示画面の状態変化位置と重複した場合に、
前記ＯＳＤの一部または全体を各入力映像情報表示領域における入力映像情報の表示状態変化量が所定値以下である入力映像情報表示領域に移動する、
ことを特徴とする情報表示方法。
【請求項２３】
請求項１ないし１１，１４ないし１９，２１，２２のいずれかに記載の情報表示方法において、
前記ＯＳＤが初期の表示状態と異なる場合、所定時間が経過したことにより前記ＯＳＤを初期の表示状態に戻す、
ことを特徴とする記載の情報表示方法。
【請求項２４】
請求項２，４ないし１１，１４，１５のいずれかに記載の情報表示方法において、
前記ＯＳＤが初期の表示状態と異なる場合、
初期のＯＳＤの表示位置と重複する分割画面の状態変化量が所定値以下になることによりＯＳＤを初期の表示状態に戻す、
ことを特徴とする情報表示方法。
【請求項２５】
請求項１ないし６，１６ないし１９，２１，２２のいずれかに記載の情報表示方法において、
前記ＯＳＤが初期の表示状態と異なる場合、
初期のＯＳＤの表示位置と重複する状態変化位置の状態変化量が所定値以下になることによりＯＳＤを初期の表示状態に戻す、
ことを特徴とする情報表示方法。
【請求項２６】
請求項１ないし６，１２，２０のいずれかに記載の情報表示方法において、
前記各入力映像情報表示領域が初期の表示状態と異なる場合、
所定時間が経過したことにより前記入力映像情報表示領域を初期の表示状態に戻す、
ことを特徴とする情報表示方法。
【請求項２７】
請求項１ないし６，１２のいずれかに記載の情報表示方法において、
前記各入力映像情報表示領域が初期の表示状態と異なる場合、
初期のＯＳＤの表示位置と重複する分割画面の状態変化量が所定値以下になることにより、前記入力映像情報表示領域を初期の表示状態に戻す、
ことを特徴とする情報表示方法。
【請求項２８】
請求項１ないし６，２０のいずれかに記載の情報表示方法において、
前記各入力映像情報表示領域が初期の表示状態と異なる場合、
初期のＯＳＤの表示位置と重複する状態変化位置の状態変化量が所定値以下になることにより、前記入力映像情報表示領域を初期の表示状態に戻す、
ことを特徴とする情報表示方法。
【請求項２９】
映像を少なくとも１つ以上含む入力映像情報を表示画面に表示し、表示画面に所定のＯＳＤを表示する情報表示装置であって、
前記ＯＳＤの表示位置を取得するＯＳＤ表示位置取得手段と、
前記表示画面に表示される入力映像情報の状態変化量を検出する状態変化量検出手段と、
前記状態変化量が所定値以上の場合に前記ＯＳＤの表示制御を行うＯＳＤ表示制御手段と、を備えた、
ことを特徴とする情報表示装置。
【請求項３０】
表示画面を分割し、映像を少なくとも２つ以上含む入力映像情報を分割画面に表示し、前記分割画面に所定のＯＳＤを表示する情報表示装置であって、
前記ＯＳＤの表示位置を取得するＯＳＤ表示位置取得手段と、
前記分割画面に表示される入力映像情報の状態変化量を検出する状態変化量検出手段と、
前記状態変化量が所定値以下の分割画面を検出する分割画面検出手段と、
前記状態変化量が所定値以下の分割画面に前記ＯＳＤを移動するように前記ＯＳＤの表示制御を行うＯＳＤ表示制御手段と、を備えた、
ことを特徴とする情報表示装置。
【請求項３１】
請求項２９または３０に記載の情報表示装置において、
前記表示画面における状態変化位置を検出する状態変化位置検出手段を更に備えた、
ことを特徴とする情報表示装置。
【請求項３２】
請求項２９または３０に記載の情報表示装置において、
前記状態変化量は、本情報表示装置外部で対象の動き検出を行う動き検出手段により検出する、
ことを特徴とする情報表示装置。
【発明の詳細な説明】
【技術分野】
【０００１】
本発明は、複数の入力映像情報とオンスクリーン表示情報を表示画面に同時に表示する情報表示方法及び情報表示装置に関するものであり、特に監視システム等において、動きのある入力映像情報とオンスクリーン表示情報の重複防止を行えるようにしたものに関する。
【背景技術】
【０００２】
従来の、ＯＳＤ（Ｏｎ  Ｓｃｒｅｅｎ  Ｄｉｓｐｌａｙ）等のオンスクリーン表示情報と入力映像情報との重複防止方法としては、例えば図１５に示すように、入力映像情報に含まれるＣＣ（Ｃｌｏｓｅｄ  Ｃａｐｔｉｏｎ：字幕放送）等のキャプション表示情報と、オンスクリーン表示情報とが表示画面に同時に表示される場合に、ＯＳＤとＣＣとの重複を防止するものが、例えば特許文献１に開示されている。
【０００３】
図１５は、特許文献１に開示された、従来のこの種のＯＳＤ制御方法の概念図である。
図１５において、１５０１は表示画面、１５０２は字幕等のＣＣ表示位置、１５０３、１５０４はＯＳＤ表示領域である。
【０００４】
この従来例では、図１５（a）のように、ＣＣ表示位置１５０２とＯＳＤ表示位置１５０３とが１つの表示画面１５０１上で重複して表示された場合、ＯＳＤ表示位置１５０３を、図１５（b）のようにＣＣ表示位置１５０２上方の表示位置１５０４に移動することにより、ＣＣとＯＳＤとの重複を防止している。
【特許文献１】特開平７−２７４１４０号公報（第１頁、第１図）
【発明の開示】
【発明が解決しようとする課題】
【０００５】
ところで、ＣＣ等のキャプション情報及びＯＳＤ等のオンスクリーン表示情報には、表示位置または表示サイズを示す情報が含まれており、上記従来の構成では、キャプション情報またはオンスクリーン表示情報に含まれる表示位置または表示サイズを示す情報を使用し、キャプション情報とオンスクリーン表示情報とが重複するか否かの判定を行っている。しかしながら、キャプション情報を取得する手段を具備しない装置においては、オンスクリーン表示情報を画面上のどの位置に移動すれば良いか判断できないという課題を有していた。
【０００６】
具体的には、前記従来の構成では、テレビ放送チューナー等のキャプション情報を取得する手段を具備した装置にのみ有効であり、カメラ等の外部入力装置のみを入力源とする監視システム等では、キャプション情報を取得する手段を具備していないため、オンスクリーン表示情報を表示画面上のどの位置に移動すれば良いかを判断できず、オンスクリーン表示情報を移動することはできない。このため、ユーザはオンスクリーン表示情報に重複した表示画面上に重要な情報が表示された場合でも、表示されたオンスクリーン表示情報により重要な情報を見逃すことがあった。
【０００７】
本発明は、前記従来の課題を解決するためになされたもので、外部からのキャプション情報を利用できない画面表示装置において、分割画面に動きのある入力映像情報が表示された場合であっても、ユーザにとって必要な情報を見逃すことのない情報表示方法及び情報表示装置を提供することを目的とする。
【課題を解決するための手段】
【０００８】
前記従来の課題を解決するために、本発明の請求項１に係る情報表示方法は、映像を少なくとも１つ以上含む入力映像情報を表示画面に表示し、表示画面に所定のオンスクリーン表示情報（以下、ＯＳＤと称す）を表示する情報表示方法であって、前記ＯＳＤの表示位置を取得する工程と、前記表示画面に表示される入力映像情報の状態変化量を検出する工程と、前記状態変化量が所定値以上の場合に前記ＯＳＤの表示制御を行う工程と、を含むことを特徴とするものである。
【０００９】
本発明の請求項１に係る情報表示方法によれば、ＯＳＤの表示位置に該当する表示画面の状態変化量が大きい場合にＯＳＤの表示制御が行われるので、ＯＳＤを縮小表示する等の表示制御を行うことにより、ＯＳＤと表示画面との重複表示が解消される。
【００１０】
また、本発明の請求項２に係る情報表示方法は、表示画面を分割し、映像を少なくとも２つ以上含む入力映像情報を分割画面に表示し、前記分割画面に所定のＯＳＤを表示する情報表示方法であって、前記ＯＳＤの表示位置を取得する工程と、前記分割画面に表示される入力映像情報の状態変化量を検出する工程と、前記状態変化量が所定値以下の分割画面を検出する工程と、前記状態変化量が所定値以下の分割画面に前記ＯＳＤを移動する工程と、を含むことを特徴とするものである。
【００１１】
本発明の請求項２に係る情報表示方法によれば、ＯＳＤの表示位置に該当する分割画面の状態変化量が大きい場合にＯＳＤの表示制御が行われるので、ＯＳＤを移動する等の表示制御を行うことにより、ＯＳＤと表示画面との重複表示が解消される。
【００１２】
また、本発明の請求項３に係る情報表示方法は、請求項１または２に記載の情報表示方法において、前記表示画面における状態変化位置を検出する工程を更に含む、ことを特徴とするものである。
【００１３】
本発明の請求項３に係る情報表示方法によれば、表示画面における状態変化の生じた位置が判明するので、ＯＳＤの表示制御が容易となる。
【００１４】
また、本発明の請求項４に係る情報表示方法は、請求項１ないし３のいずれかに記載の情報表示方法において、前記状態変化量はデジタル化された前記入力映像情報の一定時間ごとの輝度値の総和変化量であることを特徴とするものである。
【００１５】
本発明の請求項４に係る情報表示方法によれば、状態変化量の検出が容易な演算で可能となる。
【００１６】
また、本発明の請求項５に係る情報表示方法は、請求項１ないし３のいずれかに記載の情報表示方法において、前記状態変化量は、デジタル化された前記入力映像情報に含まれる音声情報の一定時間ごとの音声レベルの変化量であることを特徴とするものである。
【００１７】
本発明の請求項５に係る情報表示方法によれば、音声レベルの変化により動きがあったことが検出可能となる。
【００１８】
また、本発明の請求項６に係る情報表示方法は、請求項１または２に記載の情報表示方法において、前記状態変化量は、対象の動き検出を行う手段により検出することを特徴とするものである。
【００１９】
本発明の請求項６に係る情報表示方法によれば、人感センサ等の対象の動き検出を行う手段により状態変化量を検出するので、情報表示方法自体の処理が減少する。
【００２０】
また、本発明の請求項７に係る情報表示方法は、請求項４ないし６のいずれかに記載の情報表示方法において、前記ＯＳＤの表示位置が前記分割画面の各入力映像情報表示領域における入力映像情報の状態変化量が所定値以上の分割画面と重複した場合に、前記ＯＳＤの表示位置を前記分割画面の各入力映像情報表示領域における入力映像情報の状態変化量が所定値以下である分割画面に移動することを特徴とするものである。
【００２１】
本発明の請求項７に係る情報表示方法によれば、状態変化量の少ない分割画面にＯＳＤを移動表示できるので、ＯＳＤと分割表示画面との重複表示が解消され、分割表示画面の見易さが向上する。
【００２２】
また、本発明の請求項８に係る情報表示方法は、請求項４ないし６のいずれかに記載の情報表示方法において、前記ＯＳＤの表示位置が前記分割画面の各入力映像情報表示領域における入力映像情報の状態変化量が所定値以上の分割画面と重複した場合に、前記ＯＳＤを非表示にすることを特徴とするものである。
【００２３】
本発明の請求項８に係る情報表示方法によれば、状態変化量の大きい分割画面と重複したＯＳＤを非表示にできるので、ＯＳＤと分割表示画面との重複表示が解消され、分割表示画面の見易さが向上する。
【００２４】
また、本発明の請求項９に係る情報表示方法は、請求項１ないし６のいずれかに記載の情報表示方法において、前記ＯＳＤの表示位置が前記分割画面の各入力映像情報表示領域における入力映像情報の状態変化量が所定値以上の分割画面と重複した場合に、前記ＯＳＤを透過させ入力映像情報をＯＳＤよりも前面に表示させることを特徴とするものである。
【００２５】
本発明の請求項９に係る情報表示方法によれば、状態変化量の大きい分割画面と重複したＯＳＤを透過表示にできるので、ＯＳＤと分割表示画面との重複表示が解消され、分割表示画面の見易さが向上する。
【００２６】
また、本発明の請求項１０に係る情報表示方法は、請求項１ないし６のいずれかに記載の情報表示方法において、前記ＯＳＤの表示位置が前記分割画面の各入力映像情報表示領域における入力映像情報の状態変化量が所定値以上の分割画面と重複した場合に、前記ＯＳＤを縮小して表示することを特徴とするものである。
【００２７】
本発明の請求項１０に係る情報表示方法によれば、状態変化量の大きい分割画面と重複したＯＳＤを縮小にできるので、ＯＳＤと分割表示画面との重複表示が解消され、分割表示画面の見易さが向上する。
【００２８】
また、本発明の請求項１１に係る情報表示方法は、請求項１ないし６のいずれかに記載の情報表示方法において、前記ＯＳＤの表示位置が前記分割画面の各入力映像情報表示領域における入力映像情報の状態変化量が所定値以上の分割画面と重複した場合に、画面上の各入力映像情報表示領域と別の領域にＯＳＤを表示させることを特徴とするものである。
【００２９】
本発明の請求項１１に係る情報表示方法によれば、状態変化量の大きい分割画面と重複したＯＳＤを移動できるので、ＯＳＤと分割表示画面との重複表示が解消され、分割表示画面の見易さが向上する。
【００３０】
また、本発明の請求項１２に係る情報表示方法は、請求項１ないし６のいずれかに記載の情報表示方法において、前記ＯＳＤの表示位置が前記分割画面の各入力映像情報表示領域における入力映像情報の状態変化量が所定値以上の分割画面と重複した場合に、前記表示状態変化位置と重複する入力映像情報表示領域を任意のサイズに拡大することを特徴とするものである。
【００３１】
本発明の請求項１２に係る情報表示方法によれば、状態変化量の大きい分割画面とＯＳＤと重複した場合、分割画面を拡大できるので、ＯＳＤによって隠される領域が小さくなり、分割表示画面の見易さが向上する。
【００３２】
また、本発明の請求項１３に係る情報表示方法は、請求項１ないし６のいずれかに記載の情報表示方法において、前記入力映像情報または分割画面の各入力映像情報表示領域に優先度を付加する工程を更に含むことを特徴とするものである。
【００３３】
本発明の請求項１３に係る情報表示方法によれば、予め優先度を付加するようにしたので、ＯＳＤの移動処理が容易になる。
【００３４】
また、本発明の請求項１４に係る情報表示方法は、請求項１３に記載の情報表示方法において、前記ＯＳＤの表示位置が前記分割画面の各入力映像情報表示領域における入力映像情報の状態変化量が所定値以上の分割画面と重複した場合に、前記優先度の最も低い入力映像情報を表示している領域または優先度の最も低い入力映像情報表示領域に前記ＯＳＤの表示位置を移動することを特徴とするものである。
【００３５】
本発明の請求項１４に係る情報表示方法によれば、状態変化量の大きい分割画面とＯＳＤとが重複した場合、画像の優先度の最も低い表示領域にＯＳＤの表示位置が移動可能となり、ＯＳＤの移動処理が容易になり、更に優先度の高い分割表示画面の見易さが向上する。
【００３６】
また、本発明の請求項１５に係る情報表示方法は、請求項１ないし６のいずれかに記載の情報表示方法において、前記ＯＳＤの表示位置が前記分割画面の各入力映像情報表示領域における入力映像情報の状態変化量が所定値以上の分割画面と重複した場合に、前記ＯＳＤの一部または全体を各入力映像情報表示領域における入力映像情報の表示状態変化量が所定値以下である入力映像情報表示領域に移動することを特徴とするものである。
【００３７】
本発明の請求項１５に係る情報表示方法によれば、状態変化量の大きい分割画面とＯＳＤとが重複した場合、表示状態変化量が所定値以下の表示領域にＯＳＤの表示位置が移動可能となり、分割表示画面の見易さが向上する。
【００３８】
また、本発明の請求項１６に係る情報表示方法は、請求項１ないし６のいずれかに記載の情報表示方法において、前記ＯＳＤの表示位置が前記表示画面の状態変化位置と重複した場合に、前記ＯＳＤの表示位置を前記表示画面の状態変化量が所定値以下の領域に移動することを特徴とするものである。
【００３９】
本発明の請求項１６に係る情報表示方法によれば、ＯＳＤの表示位置が表示画面の状態変化位置と重複した場合に、表示画面の状態変化量が所定値以下の領域に移動可能となり、表示画面の見易さが向上する。
【００４０】
また、本発明の請求項１７に係る情報表示方法は、請求項２ないし６のいずれかに記載の情報表示方法において、前記ＯＳＤの表示位置が前記表示画面の状態変化位置と重複した場合に、前記ＯＳＤを非表示にすることを特徴とするものである。
【００４１】
本発明の請求項１７に係る情報表示方法によれば、ＯＳＤの表示位置が表示画面の状態変化位置と重複した場合に、ＯＳＤが非表示となり、表示画面の見易さが向上する。
【００４２】
また、本発明の請求項１８に係る情報表示方法は、請求項１ないし６のいずれかに記載の情報表示方法において、前記ＯＳＤの表示位置が前記表示画面の状態変化位置と重複した場合に、前記ＯＳＤを透過させ入力映像情報をＯＳＤよりも前面に表示させることを特徴とするものである。
【００４３】
本発明の請求項１８に係る情報表示方法によれば、ＯＳＤの表示位置が表示画面の状態変化位置と重複した場合に、ＯＳＤを透過して入力映像情報が表示可能となり、表示画面の見易さが向上する。
【００４４】
また、本発明の請求項１９に係る情報表示方法は、請求項１ないし６のいずれかに記載の情報表示方法において、前記ＯＳＤの表示位置が前記表示画面の状態変化位置と重複した場合に、前記ＯＳＤを縮小して表示することを特徴とするものである。
【００４５】
本発明の請求項１９に係る情報表示方法によれば、ＯＳＤの表示位置が表示画面の状態変化位置と重複した場合に、ＯＳＤの縮小表示が可能となり、表示画面の見易さが向上する。
【００４６】
また、本発明の請求項２０に係る情報表示方法は、請求項１ないし６のいずれかに記載の情報表示方法において、前記ＯＳＤの表示位置が前記表示画面の状態変化位置と重複した場合に、各入力映像情報表示領域における入力映像情報を所定の方向に移動させて表示することを特徴とするものである。
【００４７】
本発明の請求項２０に係る情報表示方法によれば、ＯＳＤの表示位置が表示画面の状態変化位置と重複した場合に、入力映像情報を所定の方向に移動させることにより、ＯＳＤ表示位置と入力映像信号の状態変化位置の重複を防ぎ、表示画面の見易さが向上する。
【００４８】
また、本発明の請求項２１に係る情報表示方法は、請求項１ないし６のいずれかに記載の情報表示方法において、前記ＯＳＤの表示位置が前記表示画面の状態変化位置と重複した場合に、画面上の各入力映像情報表示領域と別の領域にＯＳＤを表示させることを特徴とするものである。
本発明の請求項２１に係る情報表示方法によれば、ＯＳＤの表示位置が表示画面の状態変化位置と重複した場合に、各入力映像情報表示領域と別の領域にＯＳＤが表示可能となり、表示画面の見易さが向上する。
【００４９】
また、本発明の請求項２２に係る情報表示方法は、請求項１ないし６のいずれかに記載の情報表示方法において、前記ＯＳＤの表示位置が前記表示画面の状態変化位置と重複した場合に、前記ＯＳＤの一部または全体を各入力映像情報表示領域における入力映像情報の表示状態変化量が所定値以下である入力映像情報表示領域に移動することを特徴とするものである。
【００５０】
本発明の請求項２２に係る情報表示方法によれば、ＯＳＤの表示位置が表示画面の状態変化位置と重複した場合に、ＯＳＤの一部または全体を入力映像情報の表示状態変化量が所定値以下である入力映像情報表示領域に移動可能となり、表示画面の見易さが向上する。
【００５１】
また、本発明の請求項２３に係る情報表示方法は、請求項１ないし１１，１４ないし１９，２１，２２のいずれかに記載の情報表示方法において、前記ＯＳＤが初期の表示状態と異なる場合、所定時間が経過したことにより前記ＯＳＤを初期の表示状態に戻すことを特徴とするものである。
【００５２】
本発明の請求項２３に係る情報表示方法によれば、ＯＳＤが初期の表示状態と異なる場合、所定時間が経過したことによりＯＳＤを初期の表示状態に戻すことが可能となり、表示画面の見易さを向上させるために変化させたＯＳＤの状態を一定時間経過後に初期の表示状態に復帰可能となる。
【００５３】
また、本発明の請求項２４に係る情報表示方法は、請求項２，４ないし１１，１４，１５のいずれかに記載の情報表示方法において、前記ＯＳＤが初期の表示状態と異なる場合、初期のＯＳＤの表示位置と重複する分割画面の状態変化量が所定値以下になることによりＯＳＤを初期の表示状態に戻すことを特徴とするものである。
【００５４】
本発明の請求項２４に係る情報表示方法によれば、ＯＳＤが初期の表示状態と異なる場合、初期のＯＳＤと重複する分割画面の状態変化量が所定値以下になることによりＯＳＤを初期の表示状態に戻すことが可能となり、表示画面の見易さを向上させるために変化させたＯＳＤの状態を一定時間経過後に初期の表示状態に復帰可能となる。
【００５５】
また、本発明の請求項２５に係る情報表示方法は、請求項１ないし６，１６ないし１９，２１，２２のいずれかに記載の情報表示方法において、前記ＯＳＤが初期の表示状態と異なる場合、初期のＯＳＤの表示位置と重複する状態変化位置の状態変化量が所定値以下になることによりＯＳＤを初期の表示状態に戻すことを特徴とするものである。
【００５６】
本発明の請求項２５に係る情報表示方法によれば、ＯＳＤが初期の表示状態と異なる場合、初期のＯＳＤの表示位置と重複する状態変化位置の状態変化量が所定値以下になることによりＯＳＤを初期の表示状態に戻すことが可能となり、表示画面の見易さを向上させるために変化させたＯＳＤの状態を一定時間経過後に初期の表示状態に復帰可能となる。
【００５７】
また、本発明の請求項２６に係る情報表示方法は、請求項1ないし６，１２，２０のいずれかに記載の情報表示方法において、前記各入力映像情報表示領域が初期の表示状態と異なる場合、所定時間が経過したことにより前記入力映像情報表示領域を初期の表示状態に戻すことを特徴とするものである。
【００５８】
本発明の請求項２６に係る情報表示方法によれば、各入力映像情報表示領域が初期の表示状態と異なる場合、所定時間が経過したことにより入力映像情報表示領域を初期の表示状態に戻すことが可能となり、表示画面の見易さを向上させるために変化させたＯＳＤの状態を一定時間経過後に初期の表示状態に復帰可能となる。
【００５９】
また、本発明の請求項２７に係る情報表示方法は、請求項１ないし６，１２のいずれかに記載の情報表示方法において、前記各入力映像情報表示領域が初期の表示状態と異なる場合、初期のＯＳＤの表示位置と重複する分割画面の状態変化量が所定値以下になることにより、前記入力映像情報表示領域を初期の表示状態に戻すことを特徴とするものである。
【００６０】
本発明の請求項２７に係る情報表示方法によれば、請求項１ないし６，２０のいずれかに記載の情報表示方法において、各入力映像情報表示領域が初期の表示状態と異なる場合、初期のＯＳＤの表示位置と重複する状態変化位置の状態変化量が所定値以下になることにより、入力映像情報表示領域を初期の表示状態に戻すことが可能となり、表示画面の見易さを向上させるために変化させたＯＳＤの状態を一定時間経過後に初期の表示状態に復帰可能となる。
【００６１】
また、本発明の請求項２８に係る情報表示方法は、請求項１ないし６，２０のいずれかに記載の情報表示方法において、前記各入力映像情報表示領域が初期の表示状態と異なる場合、初期のＯＳＤの表示位置と重複する状態変化位置の状態変化量が所定値以下になることにより、前記入力映像情報表示領域を初期の表示状態に戻すことを特徴とするものである。
【００６２】
本発明の請求項２８に係る情報表示方法によれば、各入力映像情報表示領域が初期の表示状態と異なる場合、初期のＯＳＤの表示位置と重複する状態変化位置の状態変化量が所定値以下になることにより、入力映像情報表示領域を初期の表示状態に戻すことが可能となり、表示画面の見易さを向上させるために変化させたＯＳＤの状態を一定時間経過後に初期の表示状態に復帰可能となる。
【００６３】
また、本発明の請求項２９に係る情報表示装置は、映像を少なくとも１つ以上含む入力映像情報を表示画面に表示し、表示画面に所定のＯＳＤを表示する情報表示装置であって、前記ＯＳＤの表示位置を取得するＯＳＤ表示位置取得手段と、前記表示画面に表示される入力映像情報の状態変化量を検出する状態変化量検出手段と、前記状態変化量が所定値以上の場合に前記ＯＳＤの表示制御を行うＯＳＤ表示制御手段とを備えたことを特徴とするものである。
【００６４】
本発明の請求項２９に係る情報表示装置によれば、ＯＳＤの表示位置に該当する表示画面の状態変化量が大きい場合にＯＳＤの表示制御が行われるので、この場合にＯＳＤを縮小表示する等により、ＯＳＤと表示画面との重複表示が解消される。
【００６５】
また、本発明の請求項３０に係る情報表示装置は、表示画面を分割し、映像を少なくとも２つ以上含む入力映像情報を分割画面に表示し、前記分割画面に所定のＯＳＤを表示する情報表示装置であって、前記ＯＳＤの表示位置を取得するＯＳＤ表示位置取得手段と、前記分割画面に表示される入力映像情報の状態変化量を検出する状態変化量検出手段と、前記状態変化量が所定値以下の分割画面を検出する分割画面検出手段と、前記状態変化量が所定値以下の分割画面に前記ＯＳＤを移動するように前記ＯＳＤの表示制御を行うＯＳＤ表示制御手段とを備えたことを特徴とするものである。
【００６６】
本発明の請求項３０に係る情報表示装置によれば、ＯＳＤの表示位置に該当する分割画面の状態変化量が大きい場合にＯＳＤの表示制御が行われるので、この場合にＯＳＤを移動する等により、ＯＳＤと表示画面との重複表示が解消される。
【００６７】
また、本発明の請求項３１に係る情報表示装置は、請求項２９または３０に記載の情報表示装置において、前記表示画面における状態変化位置を検出する状態変化位置検出手段を更に備えたことを特徴とするものである。
【００６８】
本発明の請求項３１に係る情報表示装置によれば、表示画面における状態変化の生じた位置が判明するので、ＯＳＤの表示制御が容易となる。
【００６９】
また、本発明の請求項３２に係る情報表示装置は、請求項２９または３０に記載の情報表示装置において、前記状態変化量は、本情報表示装置外部で対象の動き検出を行う動き検出手段により検出することを特徴とするものである。
【００７０】
本発明の請求項３２に係る情報表示装置によれば、人感センサ等の対象の動き検出を行う手段により状態変化量を検出するので、本情報表示装置自体の回路規模が減少する。
【発明の効果】
【００７１】
本発明の情報表示方法及び情報表示装置によれば、分割画面上のオンスクリーン表示情報が動きのない分割画面上に移動し、また、表示画面内での動きのある位置を検出し、動きのある位置とオンスクリーン表示情報が重複しないようにオンスクリーン表示情報の表示位置及び表示方法を制御することにより、動きのある画像にオンスクリーン表示情報が重複して表示された場合でも、ユーザは動きのある画像を見逃すことなく視聴することができ、ユーザにとって重要な情報を見逃すことのない情報表示方法及び情報表示装置を提供することが可能となる。
【発明を実施するための最良の形態】
【００７２】
以下に、本発明の情報表示方法及び情報表示装置の実施の形態を図面とともに詳細に説明する。
【００７３】
（実施の形態１）
図１は本発明の実施の形態１による情報表示装置の構成図である。
図１において、１０１ａ〜１０１ｄは図示しない監視カメラ等から入力された入力信号１〜４をアナログ／デジタル変換するＡ／Ｄ変換部、１０２は複数の入力信号を１つの画面に表示するために表示エリアの分割及びＯＳＤを表示画面に重複して表示させるための画像合成部、１０３は各分割画面の状態変化量を検出する状態変化量検出部（状態変化量検出手段）、１０４は状態変化量検出部１０３で検出した状態変化量が所定値より大きいか小さいかを判定する状態変化量判定部、１０５はメイン制御部、１０６は表示画面上のＯＳＤの表示位置を取得するＯＳＤ表示位置取得部（ＯＳＤ表示位置取得手段）、１０７はＯＳＤの表示状態を変更するＯＳＤ表示状態変更部、１０８は表示画面に表示すべき出力信号をデジタル／アナログ変換し、図示しないアナログディスプレイに出力するＤ／Ａ変換部である。また、状態変化量判定部１０４とメイン制御部１０５とは状態変化量が所定値以上の場合にＯＳＤの表示制御を行うＯＳＤ表示制御手段を構成している。なお、実線の矢印は命令処理情報を含むデータの流れ、波線の矢印は命令処理情報の流れを示す。
【００７４】
図２(a)，(b)は本発明の実施の形態１における情報表示方法のフローチャート図である。
図３は本発明の実施の形態１における情報表示方法の表示画面にＯＳＤを表示した場合の概念図、図４は本発明の実施の形態１における情報表示方法の各分割画面の入力信号の状態変化の結果を示す概念図、図５〜図７は本発明の実施の形態１における情報表示方法のＯＳＤ表示位置を制御した場合の概念図、図８は本発明の実施の形態１における情報表示方法のＯＳＤ表示位置及び表示画面を制御した場合の概念図、図９は本発明の実施の形態１における情報表示方法の表示画面を制御した場合の概念図である。
【００７５】
図３〜図９において、３０１、４０１、５０１、６０１、７０１、８０１、９０１は分割画面上の表示領域１、３０２、４０２、５０２、６０２、７０２、８０２、９０２は分割画面上の表示領域２、３０３、４０３、５０３、６０３、７０３、８０３、９０３は分割画面上の表示領域３、３０４、４０４、５０４、６０４、７０４、８０４、９０４は分割画面上の表示領域４、３０５、４０５、５０５、６０５、７０５、８０５、９０５は表示画面、３０６、４０６、５０６、６０６、７０６、８０６、９０６はＯＳＤ表示位置、８０７はＯＳＤ表示領域を示す。
【００７６】
まず、本発明の情報表示方法及び情報表示装置において、表示画面を複数に分割した分割画面にＯＳＤを表示させる方法について、図１を用いて説明する。
【００７７】
カメラ等の図示しない入力手段から入力された複数の入力信号１〜４は、それぞれに対応するＡ／Ｄ変換部１０１ａ〜１０１ｄでアナログ／デジタル変換され、画像合成部１０２で表示画面上の表示エリアを決定され、Ｄ／Ａ変換部１０８でデジタル／アナログ変換されたのち、出力信号として表示画面に表示される。ユーザにより時間情報等のＯＳＤ表示を指示された場合や、自動でＯＳＤ表示を行うよう設定されている場合は、メイン制御部１０５からＯＳＤ表示情報変更部１０７にＯＳＤ表示命令を発行し、ＯＳＤデータを画像合成部１０２で表示画面に重複しＤ／Ａ変換部１０８に送られた後、表示画面に表示される。
【００７８】
この複数の入力信号は図３に示すように、それぞれのカメラから１つの表示画面３０５を複数に分割した各表示領域３０１〜３０４と同じ大きさの画面を入力してもよいし、１つの表示画面３０５と同じ大きさの画面を入力し、これを間引く等の公知の手法で各表示領域と同じ大きさに縮小してもよい。そして、これら複数の入力信号を各信号毎に１つの表示画面中の対応する表示領域に配置し、さらにはこのようにして複数の入力信号を合成して１つの表示画面を得て、この表示画面にＯＳＤを付加して表示する。なお、これらの一連の処理は公知の手法を用いればよい。
【００７９】
また、図１では複数の入力信号を１つの表示画面に表示しているが、入力信号が１つの場合でも、画像合成部１０２で入力信号の表示画面上の表示エリアを決定されるときに表示エリアを画面全体とすることにより、複数の入力信号を各表示領域に表示する場合と同様に、ＯＳＤを表示画面に重複して表示させることが可能である。
【００８０】
次に、本発明の情報表示装置において、１つ以上の入力信号で動きが発生し、動きが発生した入力信号を表示している表示領域にＯＳＤが重複して表示されている場合に、ＯＳＤと動きのある表示領域との重複表示を防止する制御について、図１及び図２(a)を用いて説明する。
【００８１】
まず、メイン制御部１０５はＯＳＤが表示画面上に表示されているか否かの判断を行う（図２(a)のＳ２０１参照）。この判断は、メイン制御部１０５に手動あるいは自動でＯＳＤの表示が指示されているか否かを判断すればよい。
【００８２】
ＯＳＤが表示画面上に表示されていないと判断した場合は、ＯＳＤと動きのある表示領域との重複表示を防止する制御は行わない。ＯＳＤが表示画面上に表示されていると判断した場合は、ＯＳＤ表示位置取得部１０６でＯＳＤ表示位置の取得を行う（Ｓ２０２参照）。この取得はＯＳＤ表示位置の座標等の位置情報の読み込みにより行う等の公知の手法を用いればよい。
【００８３】
次に状態変化量検出部１０３で各入力信号の状態変化量の取得を行う（Ｓ２０３参照）。
状態変化量検出部１０３で各表示領域の状態変化量の取得を行った後、状態変化量判定部１０４で、前記取得した状態変化量が閾値以上か否かの判定を行う（Ｓ２０４参照）。全表示領域の状態変化量が閾値以下と判断した場合はＯＳＤと動きのある表示領域との重複表示を防止する制御は行わない。１つ以上の表示領域で状態変化量が閾値以上と判断した場合はメイン制御部１０５で、ＯＳＤ表示位置と状態変化のある表示領域とが重複しているか否かの判断を行う（Ｓ２０５参照）。
【００８４】
具体的には、ステップＳ２０４での状態変化量の判定結果が図４のようになった場合、表示領域１（４０１）と表示領域３（４０３）で状態変化量が閾値以上となり、入力信号１と３の映像に動きがあったと判断する。ここで、ＯＳＤの表示位置４０６は表示領域３（４０３）と表示領域４（４０３）にまたがっているため、ステップＳ２０５において状態変化量が閾値以上である表示領域３（４０３）がＯＳＤ表示と重複していると判断する。
【００８５】
もし、表示領域３（４０３）の状態変化量が閾値以下である場合は、ＯＳＤ表示位置４０６は、状態変化量が閾値以上である表示領域と重複していないためＯＳＤと動きのある表示領域との重複表示を防止する制御は行わない。
【００８６】
前述したように、表示領域３（４０３）の状態変化量が閾値以上である場合は、表示領域３（４０３）にＯＳＤ表示が重複しているため、ＯＳＤと動きのある表示領域３（４０３）とが重複しないように制御を行う（Ｓ２０６）。
【００８７】
ここで、前述した入力信号の状態変化量の取得方法について図１及び図３を用いて説明する。この状態変化量は、以下のような演算を実行することで容易に得られる。
【００８８】
即ち、表示画面上３０５の４つの表示領域１〜４（３０１〜３０４）に入力信号１〜４の映像が表示されているものとする。まず状態変化量検出部１０３で表示領域１（３０１）に表示されている入力信号の映像の輝度値の総和Mを検出する。次に次回表示領域１（３０１）に表示する入力信号１の映像の輝度値の総和Nを検出する。検出した輝度値の総和ＭとＮとの差の絶対値を求めることにより、表示領域１（３０１）の状態変化量を取得することができる。同様に表示領域２〜４（３０２〜３０４）についても、それぞれの輝度値の総和ＭとＮとの差の絶対値を求めることにより、表示領域２〜４（３０２〜３０４）の状態変化量を取得することができる。
【００８９】
（表示制御例１）
ここで、ＯＳＤと動きのある表示領域とを重複させない制御の一例として、ＯＳＤ表示位置の移動について図１及び図５を用いて説明する。
【００９０】
表示領域３（５０３）の状態変化量のみ閾値以上である場合は、メイン制御部１０５はＯＳＤが表示領域１（５０１）と表示領域２（５０２）に移動するようにＯＳＤ表示状態変更部１０７に命令を送り、ＯＳＤ表示状態変更部１０７は最初に表示されていたＯＳＤを非表示にし、新しいＯＳＤ表示位置を含むＯＳＤデータを画像合成部１０２で表示画面に重複し、Ｄ／Ａ変換部１０７を通して表示画面に表示することで、動きがない表示領域１（５０１），２（５０２）上のＯＳＤ表示位置５０６にＯＳＤを移動させることができ、表示領域の見易さを向上させることができる。
【００９１】
（表示制御例２）
また、本実施の形態１のＯＳＤと動きのある表示領域とを重複させない制御として、１つのＯＳＤが複数の表示領域にまたがって表示されている場合について、図１及び図６を用いて説明する。表示領域１（６０１）および表示領域３（６０３）の状態変化量が閾値以上である場合は、メイン制御部１０５はＯＳＤを改行して１つの表示領域に表示できるようにＯＳＤ表示状態変更部１０７に命令を送り、ＯＳＤ表示状態変更部１０７は最初に表示されていたＯＳＤを非表示にし、新しいＯＳＤ表示位置と改行位置等の表示状態を含むＯＳＤデータを画像合成部１０２で表示画面に重複し、Ｄ／Ａ変換部１０７を通して表示画面に表示する。
【００９２】
この処理により、動きがない表示領域４（６０４）上のＯＳＤ表示位置６０６にＯＳＤの表示状態を変更して移動させることができ、ＯＳＤ表示位置を柔軟に変更できるという更なる効果を有するものである。
【００９３】
（表示制御例３）
また、本実施の形態１のＯＳＤと動きのある表示領域とを重複させない制御として、ある表示領域に入力信号が表示されていない場合について図１及び図７を用いて説明する。入力信号２の断線等により表示領域２（７０２）に映像が表示されていない場合は、メイン制御部１０５は表示される映像のない表示領域２（７０２）に優先的にＯＳＤを移動させるようにＯＳＤ表示状態変更部１０７に命令を送り、ＯＳＤ表示状態変更部１０７は最初に表示されていたＯＳＤを非表示にし、新しいＯＳＤ表示位置を含むＯＳＤデータを画像合成部１０２で表示画面に重複し、Ｄ／Ａ変換部１０７を通して表示画面に表示することで、動きがない表示領域２（７０２）上のＯＳＤ表示位置７０６にＯＳＤを移動させることができる。
【００９４】
この処理により、入力信号のある表示領域の映像をＯＳＤによって部分的に隠されることなくユーザに見せることができるという更なる効果を有するものである。
【００９５】
（表示制御例４）
また、本実施の形態１のＯＳＤと動きのある表示領域とを重複させない制御として、ＯＳＤを非表示にする制御について図１を用いて説明する。メイン制御部１０５はＯＳＤを非表示にするようにＯＳＤ表示状態変更部１０７に命令を送り、ＯＳＤ表示状態変更部１０７は最初に表示されていたＯＳＤを非表示にし、画像合成部１０２では表示画面のみを合成し、Ｄ／Ａ変換部１０８を通して表示画面に表示することでＯＳＤを非表示にすることができる。
【００９６】
この処理により、動きのある表示領域の映像をＯＳＤによって部分的に隠されることなくユーザに見せることができるという更なる効果を有するものである。
【００９７】
（表示制御例５）
また、本実施の形態１のＯＳＤと動きのある表示領域とを重複させない制御として、ＯＳＤの輝度値を小さくし透過させて表示する制御について図１を用いて説明する。メイン制御部１０５はＯＳＤの輝度値を小さくし透過させて表示するようにＯＳＤ表示状態変更部１０７に命令を送り、ＯＳＤ表示状態変更部１０７は最初に表示されていたＯＳＤを非表示にし、ＯＳＤの輝度値等の表示状態を含むＯＳＤデータを画像合成部１０２で表示画面に重複し、Ｄ／Ａ変換部１０８を通して表示画面に表示することでＯＳＤの輝度値を小さくし透過させて表示することができる。
【００９８】
この処理により、動きのある表示領域の映像をＯＳＤによって隠されることなくユーザに見せることができるとともに、ＯＳＤの情報も同時に見せることができるという更なる効果を有するものである。
【００９９】
（表示制御例６）
また、本実施の形態１のＯＳＤと動きのある表示領域とを重複させない制御として、ＯＳＤの表示サイズを小さくして表示する制御について図１を用いて説明する。メイン制御部１０５はＯＳＤの表示サイズを小さくして表示するようにＯＳＤ表示状態変更部１０７に命令を送り、ＯＳＤ表示状態変更部１０７は最初に表示されていたＯＳＤを非表示にし、新しいＯＳＤ表示位置とＯＳＤの表示サイズ等の表示状態を含むＯＳＤデータを画像合成部１０２で表示画面に重複し、Ｄ／Ａ変換部１０８を通して表示画面に表示することでＯＳＤの表示サイズを小さくして表示することができる。
【０１００】
この処理により、動きのある表示領域の映像をＯＳＤによって隠されることなくユーザに見せることができるとともに、ＯＳＤの情報も同時に見せることができるという更なる効果を有するものである。
【０１０１】
（表示制御例７）
また、本実施の形態１のＯＳＤと動きのある表示領域とを重複させない制御として、予め表示領域または入力信号に優先度を付加する制御について図１を用いて説明する。メイン制御部１０５は予め表示領域または入力信号に優先度を付加しておき、優先度の低い表示領域または優先度の低い入力信号の映像が表示されている表示領域にＯＳＤを移動するようにＯＳＤ表示状態変更部１０７に命令を送り、ＯＳＤ表示状態変更部１０７は最初に表示されていたＯＳＤを非表示にし、新しいＯＳＤ表示位置と改行等の表示状態を含むＯＳＤデータを画像合成部１０２で表示画面に重複し、Ｄ／Ａ変換部１０８を通して表示画面に表示することで、優先度の低い表示領域または入力信号の表示されている領域にＯＳＤを移動させることができる。
【０１０２】
この処理により、ＯＳＤの移動処理が容易になり、ユーザが見たい表示領域や映像をＯＳＤによって隠されることなくユーザに見せることができるという更なる効果を有するものである。
【０１０３】
（表示制御例８）
また、本実施の形態１のＯＳＤと動きのある表示領域とを重複させない制御として、新たなＯＳＤ表示領域を作成する制御について図１及び図８を用いて説明する。メイン制御部１０５は画像合成部１０２に新たにＯＳＤ表示領域８０７を作成するように命令を送り、画像合成部１０２で新たなＯＳＤ表示領域を作成し、またＯＳＤの表示位置をＯＳＤ表示領域８０７に移動するようにＯＳＤ表示状態変更部１０７に命令を送り、ＯＳＤ表示状態変更部１０７は最初に表示されていたＯＳＤを非表示にし、新しいＯＳＤ表示位置と改行等の表示状態を含むＯＳＤデータを画像合成部１０２で表示画面に重複し、Ｄ／Ａ変換部１０７を通して表示画面に表示することで、表示領域１（８０１）ないし４（８０４）とは重複しない新たなＯＳＤ表示領域８０７にＯＳＤを移動させることができる。この処理により、動きのある表示領域の映像をＯＳＤによって隠されることなくユーザに見せることができるとともに、ＯＳＤの情報も同時に見せることができるという更なる効果を有するものである。
【０１０４】
（表示制御例９）
また、本実施の形態１のＯＳＤと動きのある表示領域とを重複させない制御として、動きのある表示領域の映像を任意の大きさに拡大する制御について図１及び図９を用いて説明する。メイン制御部１０５は動きのある表示領域９０３の映像を任意の大きさに拡大して表示するように画像合成部１０２に命令を送り、画像合成部１０２で指定した表示領域を拡大し、現行のＯＳＤデータを表示画面に重複し、Ｄ／Ａ変換部１０７を通して表示画面に表示することで、動きのある映像のうちＯＳＤによって隠される部分を小さくできる。
【０１０５】
この処理により動きのある映像をユーザに視覚的に認識させることができるという更なる効果を有するものである。なお、動きのある表示領域が複数存在する場合には前述したように、表示領域または入力信号に優先度を付加しておき、優先度の高い表示領域を任意の大きさに拡大してもよい。
【０１０６】
これらの表示制御例１ないし９はそのいずれかのみを予め選択しておき実行するようにしてもよいが、メイン制御部１０５が図２(b)に示すフローチャートに基づいて表示領域とＯＳＤとの重複状況を判断して、適宜これらの表示制御例を選択するようにしてもよい。この図２(b)に示すフローチャートは図２(a)のステップS２０６の処理の一例をより詳細に示すものである。
【０１０７】
この図２(b)に示すフローチャートでは、まず全ての表示領域に動きがあるか否かを判断する（図２(b)のＳ206ａ参照）。
【０１０８】
i)  動きがないと判断した場合に、図５の表示領域１，２のように、動きがなくＯＳＤの表示領域を完全に収容できるものが存在するか否かを判断し（Ｓ206ｂ参照）、存在する場合、ＯＳＤをその表示領域に移動する（Ｓ206ｃ参照）。
【０１０９】
また、ステップＳ206ｂにおいて、ＯＳＤの表示領域を完全に収容できるものが存在しないと判断した場合、図６ないし図９の表示領域４のように、動きのない表示領域であってＯＳＤ表示領域の一部しか収容できないものが、元々の表示領域３，４と同一行に存在するか否かを判断する（Ｓ206ｄ参照）。存在すると判定した場合、
【０１１０】
ii) ＯＳＤを改行，縮小あるいはスクロール等の公知の手法で、図６に示すように、存在すると判定した表示領域４の中に収まるように表示する（Ｓ206ｅ参照）、
【０１１１】
iii)図８に示すように、表示領域１〜４を公知の方法で縮小してＯＳＤ表示領域を作成し（Ｓ206ｆ参照）、そのＯＳＤ表示領域にＯＳＤを移動する（Ｓ206ｇ参照）、
【０１１２】
iv) 図９に示すように、動きがある表示領域３を拡大してＯＳＤの一部を表示可能な領域を作成し（Ｓ206ｈ参照）、動きがない表示領域４におけるＯＳＤの一部を表示可能な領域と併せてＯＳＤ表示領域を作成し（Ｓ206ｉ参照）、ＯＳＤをその領域に移動する（Ｓ206ｇ参照）、
【０１１３】
v)  また、ステップＳ206ｄにおいて、動きのない表示領域であってＯＳＤ表示領域の一部しか収容できないものが、元々の表示領域３，４と同一行に存在しないと判定した場合、図７の表示領域２のように、ＯＳＤを一部収容可能で元のＯＳＤ表示領域とは異なる行の表示領域２に移動し（Ｓ206ｌ参照）、改行，縮小あるいはスクロール等で、存在すると判定した表示領域２の中に収まるように表示する（Ｓ206ｅ参照）、
のいずれかを行う。
【０１１４】
これらi)，ii)，iii)，iv)，v)はそれぞれ前述の表示制御例１，２，８，９，３に相当する。
また、ステップS206ａにおいて、全ての表示領域に動きがあると判断した場合、一定時間が経過するまで、ＯＳＤを消去する（S206ｊ，S206ｋ参照）。この場合、ステップＳ206ｆ，Ｓ206ｇにより、図８に示すように表示領域を全て縮小してＯＳＤ表示領域を作成するようにしてもよい。
【０１１５】
さらに、このフローチャートには表示しないが、表示制御例４ないし７に相当する制御を行ってもよい。
【０１１６】
以上のように、本実施の形態１においては、各表示領域に表示される映像の状態変化量が閾値以上であるか以下であるかを判定し、状態変化量が閾値以上である表示領域にＯＳＤが重複して表示される場合には、状態変化量が閾値以下である表示領域にＯＳＤを移動することにより、動きのある映像等ユーザにとって必要な情報を見逃すことのない情報表示方法，情報表示装置を提供することができる。
なお、本実施の形態１の入力信号の状態変化量を、入力信号に含まれる音声レベルの変化量とし、状態変化判定部１０４では音声レベルの変化量が閾値以上か否かにより動きが発生したか否かの判断を行ってもよい。
【０１１７】
また、本実施の形態１の入力信号の状態変化量を、公知の人感センサ等の、情報表示装置外部の動き検出装置により取得することで、状態変化量検出部１０３及び状態変化判定部１０４を必要としない情報表示装置が実現でき、回路規模やコストを削減できるという更なる効果を有するものである。
【０１１８】
（実施の形態２）
図１０は、本発明の実施の形態２における情報表示方法のフローチャート図である。
図１１は、本発明の実施の形態２における情報表示方法の状態変化位置取得方法を示す概念図である。
【０１１９】
図１２は、本発明の実施の形態２における情報表示方法により表示画面を制御した場合の概念図である。
【０１２０】
図１１において、１１０１は表示画面、１１０２は表示画面上の動きのある部分、１１０３はＯＳＤ表示位置である。図中のＢ１１〜Ｂ７９はブロック番号、即ち、表示画面を任意のサイズに分割し、各ブロックに割り振った表示位置情報を示す。
【０１２１】
図１２において、１２０１は表示画面、１２０２は表示画面上の動きのある部分、１２０３はＯＳＤ表示位置である。
【０１２２】
本実施の形態２の情報表示方法及び情報表示装置において、１つ以上の入力信号で動きが発生し、動きが発生した入力信号の表示画面上の位置とＯＳＤが重複して表示されている場合のＯＳＤの制御について、図１及び図１０〜図１２を用いて説明する。
【０１２３】
図１０のステップＳ１００１，Ｓ１００２の処理は、実施の形態１で説明した図２におけるステップＳ２０１，Ｓ２０２の処理と同様であるため説明は省略する。ステップＳ１００２でＯＳＤの表示位置を取得した後、状態変化量検出部１０３でＯＳＤ表示位置における入力信号の状態変化量の検出を行う（図１０のＳ１００３参照）。
【０１２４】
ステップＳ１００２で取得したＯＳＤの表示領域１１０３は図１１のブロック番号Ｂ６１〜Ｂ６９の領域である。まず、状態変化量検出部１０３でブロック番号Ｂ６１の状態変化量の取得を行う（Ｓ１００３参照）。ブロック毎の状態変化量の取得方法についてはまず、現在表示画面に表示されている映像と次回表示画面に表示される映像を同サイズのブロックに分割し、各ブロックで状態変化量の取得を行う。
【０１２５】
ここでＯＳＤ表示位置におけるブロック毎の状態変化量の取得方法について図１及び図１１を用いて説明する。ブロック毎の状態変化量の取得方法は、実施の形態１の状態変化量の取得方法と同様に、まず、状態変化量検出部１０３で現在表示画面上に表示されている映像のブロック番号Ｂ１１の領域の輝度値の総和ｍを取得する。次に次回表示画面に表示される映像のブロック番号Ｂ１１の領域の輝度値の総和ｎを取得する。取得した輝度値の総和ｍとｎとの差の絶対値を求めることにより、ブロック番号Ｂ１１の領域の状態変化量を取得することができる。ブロック番号Ｂ１２〜Ｂ７９についても同様の処理で状態変化量を取得することができる。また、ブロック毎の状態変化量を算出することで、表示画面における状態変化位置を容易に取得できる。即ち、図１の状態変化量検出部１０３は、この実施の形態２では状態変化位置検出手段としての機能をあわせ持つ。
【０１２６】
次に状態変化量判定部１０４で取得した状態変化量が閾値以上か否かの判定を行う（Ｓ１００４参照）。図１１の表示画面上の動きのある部分１１０２はブロック番号Ｂ５２〜Ｂ５４、Ｂ６２〜Ｂ６４、Ｂ７２〜Ｂ７４であるから、ブロック番号Ｂ６１の状態変化量が閾値以下であるため、次のブロック番号Ｂ６２の状態変化量を取得する（Ｓ１００３参照）。ブロック番号Ｂ６２は動きのある部分であるからステップＳ１００４で状態変化量が閾値以上と判断され、ステップＳ１００６でＯＳＤと動きのある位置を重複させない制御を行う。
【０１２７】
ＯＳＤと動きのある位置とを重複させない制御は、実施の形態１で示したＯＳＤと動きのある表示領域を重複させない制御と同様である。
【０１２８】
本実施の形態２のＯＳＤと表示画面に表示されている映像の動きのある位置とを重複させない制御の一例として、入力信号の映像を一定方向にスライドする制御について図１及び図１２を用いて説明する。メイン制御部１０５は動きのある部分１２０２をＯＳＤの表示位置１２０３と重複しないように入力信号の映像を一定方向にスライドするよう画像合成部１０２に命令を送り、画像合成部１０２で入力信号の映像を一定方向にスライドした画像を合成し、現行のＯＳＤデータを表示画面に重複し、Ｄ／Ａ変換部１０７を通して表示画面に表示することで、動きのある部分１２０２とＯＳＤ表示位置１２０３の重複を防止することができる。
【０１２９】
この処理により、ユーザはＯＳＤの情報を常に同位置で見ることができるとともに、動きのある映像等ユーザにとって必要な情報を見逃さないという更なる効果を有するものである。
また、
i)  状態変化量の大きい分割画面とＯＳＤとが重複した場合、表示状態変化量が所定値以下の表示領域にＯＳＤの表示位置を移動させて、分割表示画面の見易さを向上させてもよく、
【０１３０】
ii) ＯＳＤの表示位置が表示画面の状態変化位置と重複した場合に、表示画面の状態変化量が所定値以下の領域に移動させて、表示画面の見易さを向上させてもよく、
【０１３１】
iii)ＯＳＤの表示位置が表示画面の状態変化位置と重複した場合に、ＯＳＤを非表示として、表示画面の見易さを向上させてもよく、
【０１３２】
iv) ＯＳＤの表示位置が表示画面の状態変化位置と重複した場合に、ＯＳＤを透過させて入力映像情報を表示可能として、表示画面の見易さを向上させてもよく、
【０１３３】
v)  ＯＳＤの表示位置が表示画面の状態変化位置と重複した場合に、ＯＳＤを縮小表示として、表示画面の見易さを向上させてもよく、
【０１３４】
vi) ＯＳＤの表示位置が表示画面の状態変化位置と重複した場合に、入力映像情報を所定の方向に移動させ、表示画面の見易さを向上させてもよく、
【０１３５】
vii) ＯＳＤの表示位置が表示画面の状態変化位置と重複した場合に、各入力映像情報表示領域とは別の領域にＯＳＤを表示可能として、表示画面の見易さを向上させてもよく、
【０１３６】
viii) ＯＳＤの表示位置が表示画面の状態変化位置と重複した場合に、ＯＳＤの一部または全体を入力映像情報の表示状態変化量が所定値以下である入力映像情報表示領域に移動させて、表示画面の見易さを向上させてもよい。
【０１３７】
以上のように、本実施の形態２においては、表示画面を任意のサイズのブロックに分割し、ＯＳＤの表示されているブロックに表示される映像の状態変化量が閾値以上であるか否かを判断し、状態変化量が閾値以上である場合は、状態変化量が閾値以下である表示領域またはブロックにＯＳＤを移動することにより、動きのある映像等ユーザにとって必要な情報を見逃すことのない情報表示方法，情報表示装置を提供することができる。
なお、本実施の形態２では、表示画面に表示されている映像の動きのある位置の検出を、各ブロックの状態変化量の比較により行ったが、これをＭＰＥＧの動きベクトルの変化量の比較で行っても同様の効果が得られる。
【０１３８】
（実施の形態３）
図１３は本発明の実施の形態３における情報表示装置の構成図である。
【０１３９】
図１４は本発明の実施の形態３におけるＯＳＤの表示状態を初期状態に戻す処理を示したフローチャート図である。
【０１４０】
図１３において、１３０１〜１３０８は、実施の形態１で説明した図１における１０１〜１０８と同様のものであるため説明は省略する。ＯＳＤ表示状態管理部１３０９はＯＳＤまたは表示画面の表示状態を記憶する部分である。また、実施の形態１，２で説明したようにＯＳＤの表示状態変更の際には、メイン制御部１３０５はＯＳＤ表示状態変更部１３０７へＯＳＤ表示状態変更の命令を送ると同時にＯＳＤ表示状態管理部１３０９へ変更後のＯＳＤの表示状態を記憶するよう命令を送る。具体的には、本情報表示装置の起動時に、図３のＯＳＤ表示位置３０６をＯＳＤ表示状態管理部１３０９に記憶する。次に実施の形態１，２に示したようにＯＳＤまたは表示画面の表示状態が変更になると、変更されたＯＳＤまたは表示画面の表示状態をＯＳＤ表示状態管理部１３０９に記憶する。
【０１４１】
本発明の情報表示方法及び情報表示装置において、実施の形態１，２で説明したＯＳＤの表示状態変更の後、ＯＳＤを初期の表示状態に戻す処理について、図１３及び図１４を用いて説明する。
【０１４２】
メイン制御部１３０５はＯＳＤ表示状態管理部１３０９に記憶されたＯＳＤまたは表示画面の表示状態が本情報表示装置の起動時における初期状態であるか否かを判断する（図１４のＳ１４０１参照）。ＯＳＤ表示状態管理部１３０９に記憶されたＯＳＤまたは表示画面の表示状態が本情報表示装置の起動時における初期状態でない場合、つまり入力信号に動きがありＯＳＤまたは表示画面の表示状態が実施の形態１，２で示したように変更されている場合は、メイン制御部１３０５はＯＳＤまたは表示画面の表示状態を本情報表示装置の起動時における初期状態に戻すか否かの判断を行う（Ｓ１４０２参照）。ＯＳＤまたは表示画面の表示状態を本情報表示装置の起動時における初期状態に戻すか否かの判断も、実施の形態１，２で説明したようにＯＳＤの初期の表示画面３０３〜３０４またはＯＳＤの初期の表示位置３０６の状態変化量が閾値以上か否かの判断を行う。ＯＳＤの初期の表示画面３０３〜３０４またはＯＳＤの初期の表示位置３０６の状態変化量が閾値以上であれば、ＯＳＤの初期の表示画面３０３〜３０４またはＯＳＤの初期の表示位置３０６に表示されている入力信号には動きがあることになるため、ＯＳＤまたは表示画面の表示状態は初期状態と比較して変更したままにしておく。ＯＳＤの初期の表示画面３０３〜３０４またはＯＳＤの初期の表示位置３０６の状態変化量が閾値以下であれば、ＯＳＤの初期の表示画面３０３〜３０４またはＯＳＤの初期の表示位置３０６に表示されている入力信号には動きがないと判断するため、メイン制御部１３０５はＯＳＤ表示状態変更部１３０７または画像合成部１３０２にＯＳＤまたは表示画面を初期状態に戻すよう命令を送り、ＯＳＤ表示状態変更部１３０７は現行のＯＳＤを非表示にし、初期のＯＳＤ表示位置と初期のＯＳＤ表示状態を含むＯＳＤデータを画像合成部１３０２に送り、画像合成部１３０２は表示画面を初期の状態に戻すとともに送られてきたＯＳＤデータを表示画面に重複し、Ｄ／Ａ変換部１３０７を通して表示画面に表示する（Ｓ１４０３参照）。
【０１４３】
以上のように、本実施の形態３においては、ＯＳＤの初期の表示画面またはＯＳＤの初期の表示位置の状態変化量が閾値以上か否かを判断し、状態変化量が閾値以下であればＯＳＤまたは表示画面を初期状態に戻すことにより、動きのない入力信号を表示している表示画面ではＯＳＤを常に同じ位置で見ることが可能な情報表示方法，情報表示装置を提供することができる。
【０１４４】
なお、本実施の形態３では、ＯＳＤまたは表示画面の表示状態を本情報表示装置の起動時における初期状態に戻すか否かの判断を、表示画面またはＯＳＤの初期の表示位置の状態変化量が閾値以下に戻ったことで行うようにしたが、所定時間が経過した場合にＯＳＤまたは表示画面を初期状態に戻すようにしてもよい。
【０１４５】
この処理により、ＯＳＤまたは表示画面が初期状態と異なる場合はＯＳＤの初期の表示位置または初期状態と異なる表示画面で動きがあることをユーザに視覚的に認識させることができるという更なる効果を有するものである。
【０１４６】
なお、上記実施の形態１ないし３では、監視カメラ等の監視システムを例にとって説明したが、テレビジョン受信機やパーソナルコンピューターのモニタ、デジタルカメラの液晶モニタ等、ＯＳＤ表示を行うものであれば任意の機種に適用可能である。
【０１４７】
また、上記実施の形態１ないし３では、状態変化量の検出は、輝度信号の差の絶対値や音声信号のレベルの変化量、人感センサ等の情報表示装置外部の動き検出装置の出力信号、ＭＰＥＧの動きベクトル、を用いることで取得するようにしたが、画像に動きがあることを検出できる指標であればこれら以外のものを用いてもよい。
【産業上の利用可能性】
【０１４８】
以上のように、本発明にかかる情報表示方法及び情報表示装置は、動きのある画像にオンスクリーン表示情報が重複して表示された場合であって、キャプション情報を利用できない状況であっても、ユーザは動きのある画像を見逃すことなく視聴することができ、特に監視システム等の複数の入力信号をモニタリング可能な多画面表示装置に、オンスクリーン表示情報を重複して表示させる場合に有用である。
【図面の簡単な説明】
【０１４９】
【図１】本発明の実施の形態１における情報表示装置の構成図
【図２（ａ）】本発明の実施の形態１における情報表示方法のフローチャート図
【図２（ｂ）】本発明の実施の形態１における情報表示方法のフローチャートにおける最終ステップの詳細な処理の例を示すフローチャート図
【図３】本発明の実施の形態１における情報表示方法の表示画面にＯＳＤを表示した場合の概念図
【図４】本発明の実施の形態１における情報表示方法の各分割画面の入力信号の状態変化の結果を示す概念図
【図５】本発明の実施の形態１における情報表示方法のＯＳＤ表示位置を制御した場合の概念図
【図６】本発明の実施の形態１における情報表示方法のＯＳＤ表示位置を制御した場合の概念図
【図７】本発明の実施の形態１における情報表示方法のＯＳＤ表示位置を制御した場合の概念図
【図８】本発明の実施の形態１における情報表示方法のＯＳＤ表示位置及び表示画面を制御した場合の概念図
【図９】本発明の実施の形態１における情報表示方法の表示画面を制御した場合の概念図
【図１０】本発明の実施の形態２における情報表示方法のフローチャート図
【図１１】本発明の実施の形態２における情報表示方法の状態変化位置取得方法を示す概念図
【図１２】本発明の実施の形態２における情報表示方法の表示画面を制御した場合の概念図
【図１３】本発明の実施の形態３における情報表示装置の構成図
【図１４】本発明の実施の形態３におけるＯＳＤの表示状態を初期状態に戻す処理を示したフローチャート図
【図１５（ａ）】従来のＯＳＤ制御方法の概念図であり、入力映像とＯＳＤ表示とが重複した状況を示す図
【図１５（ｂ）】従来のＯＳＤ制御方法の概念図であり、入力映像情報とＯＳＤ表示との重複を解消した様子を示す図
【符号の説明】
【０１５０】
１０１、１３０１  Ａ／Ｄ変換部
１０２、１３０２  画像合成部
１０３、１３０３  状態変化量検出部
１０４、１３０４  状態変化量判定部
１０５、１３０５  メイン制御部
１０６、１３０６  ＯＳＤ表示位置取得部
１０７、１３０７  ＯＳＤ表示状態変更部
１０８、１３０８  Ｄ／Ａ変換部
３０１、４０１、５０１、６０１、７０１、８０１、９０１  分割画面上の表示領域１
３０２、４０２、５０２、６０２、７０２、８０２、９０２  分割画面上の表示領域２
３０３、４０３、５０３、６０３、７０３、８０３、９０３  分割画面上の表示領域３
３０４、４０４、５０４、６０４、７０４、８０４、９０４  分割画面上の表示領域４
３０５、４０５、５０５、６０５、７０５、８０５、９０５、１１０１、１２０１、１５０１  表示画面
３０６、４０６、５０６、６０６、７０６、８０６、９０６、１１０３、１２０３、１５０３、１５０４  ＯＳＤ表示位置
８０７  ＯＳＤ表示領域
１１０２、１２０２  表示画面上の動きのある部分
１３０９  ＯＳＤ表示状態管理部
１５０２  ＣＣ表示位置
【図１】
2005242204.tif 000003
【図２（ａ）】
2005242204.tif 000004
【図２（ｂ）】
2005242204.tif 000005
【図３】
2005242204.tif 000006
【図４】
2005242204.tif 000007
【図５】
2005242204.tif 000008
【図６】
2005242204.tif 000009
【図７】
2005242204.tif 000010
【図８】
2005242204.tif 000011
【図９】
2005242204.tif 000012
【図１０】
2005242204.tif 000013
【図１１】
2005242204.tif 000014
【図１２】
2005242204.tif 000015
【図１３】
2005242204.tif 000016
【図１４】
2005242204.tif 000017
【図１５（ａ）】
2005242204.tif 000018
【図１５（ｂ）】
2005242204.tif 000019